(57)【要約】      （修正有）【課題】操作性の向上を図ることができる電子機器を提供する。【解決手段】電子機器１は、筐体と、表示部２と、を備える。表示部２は、筐体に配される。電子機器１は、センサ部２１と、制御部１０と、をさらに備える。センサ部２１は、電子機器の外表面に加わる圧力及び電子機器１の内部の気圧の少なくとも一方の変化量を検出する。制御部１０は、センサ部２１により検出された変化量に基づいて、表示部２に表示される画像のレイアウトを変化させる。【選択図】図４
2015069225.tif 000002
【特許請求の範囲】
【請求項１】
筐体と、
前記筐体に配される表示部と、を備える電子機器であって、
当該電子機器の外表面に加わる圧力及び当該電子機器の内部の気圧の少なくとも一方の変化量を検出するセンサ部と、
前記センサ部により検出された前記変化量に基づいて、前記表示部に表示される画像のレイアウトを変化させる制御部と、をさらに備える
電子機器。
【請求項２】
前記制御部は、圧力及び気圧の少なくとも一方の前記変化量が大きいほど前記レイアウトの変化量を大きくする
請求項１に記載の電子機器。
【請求項３】
前記制御部は、圧力及び気圧の少なくとも一方の変化が前記センサ部で所定の時間内に所定の回数検出された場合に、前記表示部に表示される前記レイアウトを変化させる
請求項１又は２に記載の電子機器。
【請求項４】
前記制御部は、前記センサ部によって前記変化量を検出するたびに、前記レイアウトを変化させる
請求項１又は２に記載の電子機器。
【請求項５】
前記制御部は、前記表示部の所定の領域に操作対象画像が表示されていない場合には、前記センサ部によって前記変化量が検出されても、前記レイアウトを変化させずに前記レイアウトを維持する
請求項１から４のいずれか１項に記載の電子機器。
【請求項６】
前記センサ部は、前記筐体の側面の内部に配置された圧電素子である
請求項１から５のいずれか１項に記載の電子機器。
【請求項７】
前記圧電素子は、前記筐体の第１側面と前記第１側面に対向する第２側面それぞれの内側に配置され、
前記制御部は、
前記圧電素子による圧力の検出結果に基づいて、主に操作を行う指が前記第１側面と前記第２側面のいずれの側にあるのかを判断し、
主に操作を行う指が前記第１側面の側にあると判断した場合には、前記レイアウトを前記第１側面の方に移動させ、
主に操作を行う指が前記第２側面の側にあると判断した場合には、前記レイアウトを前記第２側面の方に移動させる、
請求項６に記載の電子機器。
【請求項８】
前記センサ部は、前記筐体の内部の気圧を検出する気圧センサである
請求項１から５のいずれか１項に記載の電子機器。
【請求項９】
前記センサ部が前記気圧センサである場合、前記制御部は、
所定の第１トリガと前記気圧センサによる気圧の検出とに基づいて、前記レイアウトを変化させることとして画像を拡大させ、
所定の第２トリガと前記気圧センサによる気圧の検出とに基づいて、前記レイアウトを変化させることとして画像を縮小させる
請求項８に記載の電子機器。
【発明の詳細な説明】
【技術分野】
【０００１】
本発明は、電子機器に関する。
【背景技術】
【０００２】
電子機器には、例えば、タッチスクリーンディスプレイを備えるタイプがある。
【先行技術文献】
【特許文献】
【０００３】
【特許文献１】特表２０１０−５１５９８０号公報
【発明の概要】
【発明が解決しようとする課題】
【０００４】
上述した電子機器では、ユーザが片手で把持した際の操作性の向上が求められている。
【０００５】
本発明は、操作性の向上を図ることができる電子機器を提供することを目的とする。
【課題を解決するための手段】
【０００６】
電子機器は、筐体と、表示部と、を備える。前記表示部は、前記筐体に配される。電子機器は、センサ部と、制御部と、をさらに備える。前記センサ部は、当該電子機器の外表面に加わる圧力及び当該電子機器の内部の気圧の少なくとも一方の変化量を検出する。前記制御部は、前記センサ部により検出された前記変化量に基づいて、前記表示部に表示される画像のレイアウトを変化させる。
【０００７】
前記制御部は、圧力及び気圧の少なくとも一方の前記変化量が大きいほど前記レイアウトの変化量を大きくすることが好ましい。
【０００８】
前記制御部は、圧力及び気圧の少なくとも一方の変化が前記センサ部で所定の時間内に所定の回数検出された場合に、前記表示部に表示される前記レイアウトを変化させることが好ましい。
【０００９】
前記制御部は、前記センサ部によって前記変化量を検出するたびに、前記レイアウトを変化させることが好ましい。
【００１０】
前記制御部は、前記表示部の所定の領域に操作対象画像が表示されていない場合には、前記センサ部によって前記変化量が検出されても、前記レイアウトを変化させずに前記レイアウトを維持することが好ましい。
【００１１】
前記センサ部は、前記筐体の側面の内部に配置された圧電素子であることが好ましい。
【００１２】
前記圧電素子は、前記筐体の第１側面と前記第１側面に対向する第２側面それぞれの内側に配置されることが好ましい。この場合、前記制御部は、前記圧電素子による圧力の検出結果に基づいて、主に操作を行う指が前記第１側面と前記第２側面のいずれの側にあるのかを判断する。前記制御部は、主に操作を行う指が前記第１側面の側にあると判断した場合には、前記レイアウトを前記第１側面の方に移動させる。前記制御部は、主に操作を行う指が前記第２側面の側にあると判断した場合には、前記レイアウトを前記第２側面の方に移動させる。
【００１３】
前記センサ部は、前記筐体の内部の気圧を検出する気圧センサであることが好ましい。
【００１４】
前記センサ部が前記気圧センサである場合、前記制御部は、次の制御を行うことが好ましい。前記制御部は、所定の第１トリガと前記気圧センサによる気圧の検出とに基づいて、前記レイアウトを変化させることとして画像を拡大させる。前記制御部は、所定の第２トリガと前記気圧センサによる気圧の検出とに基づいて、前記レイアウトを変化させることとして画像を縮小させる。
【発明の効果】
【００１５】
本発明によれば、操作性の向上を図ることができる電子機器を提供することができる。
【図面の簡単な説明】
【００１６】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】実施形態に係るスマートフォンの構成を示すブロック図である。
【図５】タッチスクリーンディスプレイに表示される画像が縮小しながら移動する場合の一例について説明するための図である。
【発明を実施するための形態】
【００１７】
本発明を実施するための実施形態を、図面を参照しつつ詳細に説明する。以下では、電子機器の一例として、スマートフォンについて説明する。
【００１８】
図１から図３を参照しながら、実施形態に係るスマートフォン１の外観について説明する。図１は、実施形態に係るスマートフォンの外観を示す斜視図である。図２は、実施形態に係るスマートフォンの外観を示す正面図である。図３は、実施形態に係るスマートフォンの外観を示す背面図である。
【００１９】
図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２０】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２１】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２２】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２３】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２４】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２５】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２６】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２７】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２８】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２９】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３０】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３１】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３２】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３３】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３４】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３５】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３６】
照度センサ４は、照度を検出する。例えば、照度とは、光の強さ、明るさ、輝度等である。照度センサ４は、例えば、ディスプレイ２Ａの輝度の調整に用いられる。
【００３７】
近接センサ５は、近隣の物体の存在を非接触で検出する。近接センサ５は、例えば、タッチスクリーンディスプレイ２が顔に近付けられたことを検出する。
【００３８】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４０】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４１】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４２】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４４】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４５】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４６】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４７】
カメラ１２は、フロントフェイス１Ａに面している物体を撮影するインカメラである。カメラ１３は、バックフェイス１Ｂに面している物体を撮影するアウトカメラである。
【００４８】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００４９】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５０】
このようなスマートフォン１は、操作性の向上を図る機能を有する。
【００５１】
スマートフォン１は、上述したように、ハウジング２０と、タッチスクリーンディスプレイ２と、を備える。ハウジング２０は、本発明の「筐体」の一実施形態に対応する。タッチスクリーンディスプレイ２は、本発明の「表示部」の一実施形態に対応する。
【００５２】
スマートフォン１は、センサ部２１と、上述したコントローラ１０と、備える。
センサ部２１は、スマートフォン１の外表面に加わる圧力及びスマートフォン１の内部の気圧の少なくとも一方の変化量を検出する。センサ部２１は、圧力又は気圧の少なくとも一方を検出する。
【００５３】
センサ部２１は、例えば、ハウジング２０等がユーザによって握られることにより加わった圧力を検出する。センサ部２１は、一例として、ハウジング２０の側面の内部に配置された圧電素子１８であることが好ましい。圧電素子１８は、一例として、１つの側面に複数配置されることが好ましい。１つの側面に複数の圧電素子１８が配置される場合には、コントローラ１０は、側面のどの場所に圧力が加わっているのか検出することができる。また、１つの側面に複数の圧電素子１８が配置される場合には、コントローラ１０は、１つの側面において圧力が加わる箇所が何箇所あるか検出することができる。
【００５４】
又は、センサ部２１は、ハウジング２０等がユーザによって握られることにより変化するハウジング２０の内部の気圧を検出する。センサ部２１は、例えば、ハウジング２０の内部の気圧を検出する気圧センサ１９であることが好ましい。センサ部２１がスマートフォン１の内部の気圧の変化量を検出する場合には、ハウジング２０は、気密性を有する。
【００５５】
コントローラ１０は、本発明の「制御部」の一実施形態に対応する。コントローラ１０は、センサ部２１により検出された変化量に基づいて、タッチスクリーンディスプレイ２に表示される画像のレイアウトを変化させる。レイアウトの変化は、例えば、タッチスクリーンディスプレイ２に表示される画像の拡大、縮小又は移動等のことである。例えば、コントローラ１０は、センサ部２１によって圧力及び気圧の少なくとも一方が大きくなるような変化が検出された場合には、画像を拡大させ、画像を縮小させ、又は画像を元の位置から他の位置へ移動させる。また、コントローラ１０は、センサ部２１によって圧力及び気圧の少なくとも一方が小さくなるような変化が検出された場合には、画像を縮小させ、画像を拡大させ、又は画像を他の位置から元の位置へ移動させる。
【００５６】
また、レイアウトの変化は、例えば、タッチスクリーンディスプレイ２に表示される画像を縮小させながら移動すること、又は、タッチスクリーンディスプレイ２に表示される画像を拡大させながら移動することであってもよい。図５は、タッチスクリーンディスプレイ２に表示される画像が縮小しながら移動する場合の一例について説明するための図である。ここで、図５（Ａ）は、通常の表示状態を示す。図５（Ｂ）は、画像が縮小しながら移動した状態を示す。
【００５７】
例えば、コントローラ１０は、センサ部２１によって圧力及び気圧の少なくとも一方が大きくなるような変化が検出された場合には、通常の表示状態（図５（Ａ）参照）から、画像を縮小させながら、元の位置から他の位置へ移動させる（図５（Ｂ）参照）。また、コントローラ１０は、センサ部２１によって圧力及び気圧の少なくとも一方が小さくなるような変化が検出された場合には、画像を拡大させながら、他の位置から元の位置へ移動させる。すなわち、コントローラ１０は、図５（Ｂ）に示す表示状態から図５（Ａ）に示す表示状態に遷移させる。
【００５８】
また、レイアウトの変化は、カメラ１２又はカメラ１３によって取り込まれた被写体の画像がタッチスクリーンディスプレイ２にリアルタイムで表示される場合には、ズーミングを行うことである。例えば、コントローラ１０は、センサ部２１によって圧力及び気圧の少なくとも一方が大きくなるような変化が検出された場合には、レンズの焦点距離を長くする。また、センサ部２１によって圧力及び気圧の少なくとも一方が小さくなるような変化が検出された場合には、レンズの焦点距離を短くする。
【００５９】
これにより、スマートフォン１は、ユーザの一方の手（例えば右手）で把持されて、右手の親指でタッチスクリーンディスプレイ２に表示されるボタン等の操作対象画像３１（図５参照）が操作される場合でも、タッチスクリーンディスプレイ２に表示される画像のレイアウトを変化させることにより、右手の親指の近くに操作対象画像３１を移動させることができるので、操作性の向上を図ることができる。
また、スマートフォン１は、気圧が変化する場合でも、タッチスクリーンディスプレイ２に表示される画像のレイアウトを変化させるので、操作性の向上を図ることができる。
【００６０】
コントローラ１０は、圧力及び気圧の少なくとも一方の変化量が大きいほどレイアウトの変化量を大きくすることが好ましい。例えば、コントローラ１０は、圧力の変化量が大きいほど、タッチスクリーンディスプレイ２に表示される画像の拡大、画像の縮小又は画像の移動の変化を大きくする。一例として、コントローラ１０は、センサ部２１によって圧力が大きくなることが検出された場合、圧力の変化がより大きくなるほど、画像をより拡大するようにし、画像をより縮小するようにし、又は元の位置から他の位置への画像の移動量を大きくする。また、コントローラ１０は、センサ部２１によって圧力が小さくなることが検出された場合、圧力の変化がより大きくなるほど、画像をより縮小するようにし、画像をより拡大するようにし、又は他の位置から元の位置への画像の移動量を大きくする。
【００６１】
また、例えば、コントローラ１０は、気圧の変化量が大きいほど、カメラ１２，１３のレンズの焦点距離を長くし、又は短くするようズーミングする。一例として、コントローラ１０は、センサ部２１によって気圧が大きくなることが検出された場合、気圧の変化がより大きくなるほど、カメラ１２，１３の焦点距離をより長くし、又は焦点距離をより短くする。この結果、タッチスクリーンディスプレイ２に表示される画像は、拡大され、又は縮小される。また、コントローラ１０は、センサ部２１によって気圧が小さくなることが検出された場合、気圧の変化が大きくなるほど、カメラ１２，１３の焦点距離をより短くし、又は焦点距離をより長くする。この結果、タッチスクリーンディスプレイ２に表示される画像は、縮小され、又は拡大される。
【００６２】
これにより、スマートフォン１は、ユーザの主に操作する指の近くに操作対象画像３１（ボタン等）を移動することができ、操作性の向上を図ることができる。
また、スマートフォン１は、気圧が変化する場合でも、タッチスクリーンディスプレイ２に表示される画像のレイアウトを変化させるので、操作性の向上を図ることができる。
【００６３】
コントローラ１０は、圧力及び気圧の少なくとも一方の変化がセンサ部２１で所定の時間内に所定の回数検出された場合に、タッチスクリーンディスプレイ２に表示されるレイアウトを変化させることが好ましい。所定の時間は、適宜設定される。所定の回数は、適宜設定される。
【００６４】
一例として、センサ部２１によって、圧力が大きくなることと、圧力が小さくなることとが、連続して所定の回数検出された後、圧力が大きくなることが検出された場合には、コントローラ１０は、画像のレイアウトを変化させる。又は、センサ部２１によって、圧力が大きくなることと、圧力が小さくなることとが、連続して所定の回数検出された後、圧力が小さくなることが検出された場合には、コントローラ１０は、画像のレイアウトを変化させる。
【００６５】
一例として、センサ部２１によって、気圧が大きくなることと、気圧が小さくなることとが、連続して所定の回数検出された後、気圧が大きくなることが検出された場合には、コントローラ１０は、カメラ１２，１３の焦点距離を長くする。又は、センサ部２１によって、気圧が大きくなることと、気圧が小さくなることとが、連続して所定の回数検出された後、気圧が小さくなることが検出された場合には、コントローラ１０は、カメラ１２，１３の焦点距離を短くする。
【００６６】
これにより、スマートフォン１は、センサ部２１によってユーザの動作に基づかない圧力又は気圧の変化が検出された場合でも、画像のレイアウトが変化することを防ぐことができる。すなわち、スマートフォン１は、所定の時間内に所定の回数の圧力及び気圧の少なくとも一方の変化がセンサ部２１で検出された場合に画像のレイアウトを変化させるので、ユーザの意志に基づいて画像のレイアウトを変化させることができる。スマートフォン１は、例えば、スマートフォン１が落下してハウジング２０に圧力が加わった場合にも、画像のレイアウトが変化することを防ぐことができる。
【００６７】
コントローラ１０は、センサ部２１によって変化量を検出するたびに、レイアウトを変化させることが好ましい。コントローラ１０は、センサ部２１によって圧力及び気圧の少なくとも一方の変化を検出すると、レイアウトを変化させる。
これにより、スマートフォン１は、ユーザの意思に基づいて、直ちに画像のレイアウトを変化させることができる。
【００６８】
コントローラ１０は、タッチスクリーンディスプレイ２の所定の領域に操作対象画像３１が表示されていない場合には、センサ部２１によって変化量が検出されても、レイアウトを変化させずにレイアウトを維持することが好ましい。例えば、ユーザの主に操作を行う指（一例として親指）の届く範囲に操作対象画像３１が表示され、その指の届かない範囲に操作対象画像３１が表示されない場合には、センサ部２１によって圧力の変化が検出されても、タッチスクリーンディスプレイ２に表示される画像のレイアウトを変化させない。所定の領域とは、例えば、ユーザの主に操作を行う指が届かない範囲である。所定の領域は、適宜設定される。所定の領域は、例えば、ディスプレイ２Ａの上部側３分の１の領域である。所定の領域は、ユーザが図５（Ｂ）のようにスマートフォン１を右手で把持している場合、例えば、ディスプレイ２Ａの左側４分の１の領域である。操作対象画像３１とは、例えば、タッチスクリーンディスプレイ２に表示されるアイコンである。
これにより、スマートフォン１は、所定の領域に操作対象画像３１が表示されない場合には、画像のレイアウトを変化させる必要がないので、不要な処理を行うことを省くことができる。
【００６９】
圧電素子１８は、ハウジング２０の第１側面と、その第１側面に対向する第２側面とのそれぞれの内側に配置されることが好ましい。第１側面とは、例えば、サイドフェイス１Ｃ４（図１参照）のことである。第２側面とは、例えば、サイドフェイス１Ｃ３（図１参照）のことである。
【００７０】
この場合、コントローラ１０は、圧電素子１８による圧力の検出結果に基づいて、主に操作を行う指が第１側面と第２側面のいずれの側にあるのかを判断する。主に操作を行う指とは、例えば、親指のことである。
【００７１】
第１側面及び第２側面のそれぞれに複数の圧電素子１８が配されている場合には、コントローラ１０は、各側面において圧力を検出した圧電素子１８の数に基づいて、スマートフォン１がユーザの右手で持たれているのか、又はスマートフォン１がユーザの左手で持たれているのか判断する。
【００７２】
例えば、スマートフォン１がユーザの右手で持たれている場合には、第１側面（サイドフェイス１Ｃ４）には１つの指（親指）があり、第２側面（サイドフェイス１Ｃ３）には複数の指がある。１つの側面に１つの指がある場合には、１つの圧電素子１８で圧力を検出する可能性が高い。１つの側面に複数の指がある場合には、複数の圧電素子１８で圧力を検出する可能性が高い。このため、第１側面（サイドフェイス１Ｃ４）では１つの圧電素子１８が圧力を検出し、第２側面（サイドフェイス１Ｃ３）では複数の圧電素子１８が圧力を検出した場合には、コントローラ１０は、スマートフォン１がユーザの右手で持たれていると判断する。
【００７３】
一方、スマートフォン１がユーザの左手で持たれている場合には、第１側面（サイドフェイス１Ｃ４）には複数の指があり、第２側面（サイドフェイス１Ｃ３）には１つの指（親指）がある。１つの側面に１つの指がある場合には、１つの圧電素子１８で圧力を検出する可能性が高い。１つの側面に複数の指がある場合には、複数の圧電素子１８で圧力を検出する可能性が高い。このため、第１側面（サイドフェイス１Ｃ４）では複数の圧電素子１８が圧力を検出し、第２側面（サイドフェイス１Ｃ３）では１つの圧電素子１８が圧力を検出した場合には、コントローラ１０は、スマートフォン１がユーザの左手で持たれていると判断する。
【００７４】
コントローラ１０は、主に操作を行う指が第１側面の側にあると判断した場合には、レイアウトを第１側面の方に移動させる。すなわち、コントローラ１０は、スマートフォン１の右側面に親指があると判断した場合には、タッチスクリーンディスプレイ２に表示される画像を右側に移動させる。この場合、コントローラ１０は、画像を縮小させながら又は画像を拡大させながら、画像を移動させてもよい。
【００７５】
コントローラ１０は、主に操作を行う指が第２側面の側にあると判断した場合には、レイアウトを第２側面の方に移動させる。すなわち、コントローラ１０は、スマートフォン１の左側面に親指があると判断した場合には、タッチスクリーンディスプレイ２に表示される画像を左側に移動させる。この場合、コントローラ１０は、画像を縮小させながら又は画像を拡大させながら、画像を移動させてもよい。
【００７６】
なお、１つの側面に複数の圧電素子１８が配置されている場合、コントローラ１０は、圧力を検出した圧電素子１８の位置に基づいて、親指の位置を特定することができる。このため、コントローラ１０は、親指の位置（圧力を検出した圧電素子１８の位置）に向けて、画像を移動させることが可能である（図５（Ｂ）参照）。
これにより、スマートフォン１は、操作性の向上することができる。
【００７７】
センサ部２１が気圧センサ１９である場合、コントローラ１０は、次の制御を行うことが好ましい。
コントローラ１０は、所定の第１トリガと気圧センサ１９による気圧の検出とに基づいて、レイアウトを変化させることとして画像を拡大させる。所定の第１トリガは、一例として、ハウジング２０に配されるボタン（図示せず）又はタッチスクリーンディスプレイ２に表示されるボタン（図示せず）等が操作された場合に発生する。この場合、コントローラ１０は、所定の第１トリガを検出する。気圧の検出とは、気圧の変化の検出又は気圧の変化量の検出のことである。画像を拡大させる場合の気圧の検出は、例えば、気圧が大きくなることの検出である。所定の第１トリガ及び気圧の検出は、それぞれが同時に検出された場合のみばかりではなく、所定の時間の間にそれぞれが検出された場合も含まれる。画像を拡大させるとは、例えば、カメラ１２，１３の焦点距離を長くすることにより、タッチスクリーンディスプレイ２に表示される画像を拡大させることである。
【００７８】
コントローラ１０は、所定の第２トリガと気圧センサ１９による気圧の検出とに基づいて、レイアウトを変化させることとして画像を縮小させる。所定の第２トリガは、一例として、ハウジング２０に配されるボタン（図示せず）又はタッチスクリーンディスプレイ２に表示されるボタン（図示せず）等が操作された場合に発生する。この場合、コントローラ１０は、所定の第２トリガを検出する。気圧の検出とは、気圧の変化の検出又は気圧の変化量の検出のことである。画像を縮小させる場合の気圧の検出は、例えば、気圧が小さくなることの検出である。所定の第２トリガ及び気圧の検出は、それぞれが同時に検出された場合のみばかりでなく、所定の時間の間にそれぞれが検出された場合も含まれる。画像を縮小させるとは、例えば、カメラ１２，１３の焦点距離を短くすることにより、タッチスクリーンディスプレイ２に表示される画像を縮小させることである。
【００７９】
これにより、スマートフォン１は、気圧センサ１９によってユーザの動作に基づかない気圧の変化が検出された場合でも、画像のレイアウトが変化することを防ぐことができる。すなわち、スマートフォン１は、所定のトリガと気圧の変化が検出された場合に、画像のレイアウトを変化させるので、ユーザの意志に基づいて画像のレイアウトを変化させることができる。スマートフォン１は、例えば、スマートフォン１が落下してハウジング２０に圧力が加わった場合にも、画像のレイアウトが変化することを防ぐことができる。
【００８０】
なお、上述した実施形態は、電子機器の一例としてスマートフォン１を挙げて説明した。しかし、本発明は、これに限定されない。電子機器は、片方の手に持って操作可能な携帯型の電子機器であればよい。
【符号の説明】
【００８１】
１  スマートフォン（電子機器）
２  タッチスクリーンディスプレイ（表示部）
１０  コントローラ（制御部）
１８  圧電素子
１９  気圧センサ
２０  ハウジング
２１  センサ部
３１  操作対象画像
【図１】
2015069225.tif 000003
【図２】
2015069225.tif 000004
【図３】
2015069225.tif 000005
【図４】
2015069225.tif 000006
【図５】
2015069225.tif 000007